(57)【特許請求の範囲】
【請求項１】
照明装置への電力の供給をオン・オフする電源スイッチの操作によって前記照明装置の点灯状態を切り替えて照明による明るさを調節する負荷状態制御装置において、
前記電源スイッチがオフとなってから再度オンされるまでの時間を計測する計測手段と、
前記計測手段で計測した時間が予め定めた範囲内の時間であったときに照明装置の点灯状態を切り替える点灯モード切替手段と、
前記計測手段で計測した時間が予め定めた範囲内の下限時間よりも長かったとき前記再度オンされたタイミングで音による報知を行う報知手段と、を備え、
前記点灯モード切替手段は、前記計測手段で計測した時間が予め定めた範囲の上限時間よりも長ければ、照明装置の点灯状態を初期状態にする手段であり、
前記報知手段は、切り替えた点灯状態によって音による報知を変化させる手段であることを特徴とする負荷状態制御装置。
【請求項２】
前記報知手段は、切り替えた点灯状態によって音の鳴らす回数を変化させる手段であることを特徴とする請求項１記載の負荷状態制御装置。
【請求項３】
前記報知手段は、切り替えた点灯状態によって音の音色を変化させる手段であることを特徴とする請求項１記載の負荷状態制御装置。
【発明の詳細な説明】
【０００１】
【発明の属する技術分野】
この発明は、照明装置の点灯状態を切り替えて照明による明るさを調節する負荷状態制御装置に関する。
【０００２】
【従来の技術】
従来より、照明装置の点灯状態（点灯モード）を切り替えて照明による明るさを調節するようにした負荷状態制御装置が実用化されている。最近では、照明装置の点灯モードの制御をマイコンによって行う負荷状態制御装置も提案されている。この種の負荷状態制御装置には、照明装置への電力の供給をオン・オフする壁面等に設けた電源スイッチの操作によって点灯モードを切り替えるようにして、新たに調光用スイッチを取り付ける工事を不要にしたものがある。例えば、以下に示す３つのモードで照明装置の点灯モードを切り替える負荷状態制御装置の場合、
第１モード：蛍光灯を１００％で点灯させるモード
第２モード：蛍光灯を７０％で点灯させるモード
第３モード：蛍光灯を点灯させずに豆球を点灯させるモード
最初に電源スイッチがオンされると第１モードで照明装置を点灯させる。ここで、最初に電源スイッチがオンされた時とは、前回電源スイッチがオフされてから第１の設定時間Ｔ１以上経過しているときである。そして、照明装置を第１モードで点灯させているときに、操作者によって電源スイッチが一旦オフされ、予め設定されている第２の設定時間Ｔ２（Ｔ１＞Ｔ２）経過後に再度オンされると点灯モードを第２モードに切り替えて、照明装置を点灯させる。さらに、照明装置を第２モードで点灯させているときに上記した第１モードから第２モードに切り替えるときに行った電源スイッチの操作が行われると第３モードに切り替え、照明装置を第３モードで点灯させているときにこの電源スイッチの操作が行われると第１モードに切り替える。なお、電源スイッチがオフされてから第２の設定時間Ｔ２を経過する前に再度電源スイッチがオンされたときには、点灯モードを切り替えることなく電源スイッチがオフされたときの点灯モードで照明装置を点灯させる。
【０００３】
各設定時間Ｔ１、Ｔ２は、操作性を考慮して決められる。照明装置の使用頻度は第１モードが最も高いので、その時の点灯モードに関係なく第１モードへの切り替えが簡単に行えるように設定時間Ｔ１を設けており、例えば照明装置を第２モードで点灯させているときでも電源スイッチをオフしてからこの第１の設定時間Ｔ１の経過後に電源スイッチをオンすることによって第２モードから第１モードに直接切り替えられる。ここで、設定時間Ｔ１が長いとこの切り替えを行うときに照明による明るさの無い時間が長くなってしまうので１．７秒程度に設定している。また、設定時間Ｔ２は、瞬停によって点灯モードが切り替わらないように０．２秒程度に設定している。
【０００４】
【発明が解決しようとする課題】
しかしながら、上記の負荷状態制御装置では、照明装置の点灯モードを切り替える操作を行ったときに、照明装置の点灯状態から点灯モードが切り替わったのかどうか（照明装置の点灯モードを切り替えるための操作が正しく行えたかどうか）の認識が非常に困難である。点灯モードの変化が１００％から７０％程度まで大きく変化するものであれば、その判断は比較的簡単であるが、点灯モードが１００％、９０％、８０％、７０％、および、６０％のように小きざみで変化する場合には、照明装置の点灯モードを切り替える操作が正しく行えたかどうかを正しく判断することは殆どできない。
【０００５】
さらに、照明装置に蛍光灯を用いる場合は、その点灯モードを例えば７０％にするとき、スイッチがオンされると点灯用インバータの始動特性上、一旦１００％点灯させてから７０％に調光することになるが、スイッチ操作時と７０％点灯モードに移行した時とに若干の時間的ズレがあるためにスイッチ操作したタイミングにその操作が正しく行えたかどうかの判断ができず、操作性が良くないという問題がある。
【０００６】
この発明の目的は、照明装置の点灯状態を切り替えることをスイッチ操作を行ったときに同時に音によって報知することで、照明装置の点灯状態を切り替える操作が正しく行われたかどうかを操作者に知らせることのできる負荷状態制御装置を提供することにある。
【０００７】
また、この発明は、照明装置の点灯モードがどのモードにあるかを音によって操作者に知らせることのできる負荷状態制御装置を提供することを目的とする。
【０００８】
【課題を解決するための手段】
この発明は、照明装置への電力の供給をオン・オフする電源スイッチの操作によって前記照明装置の点灯状態を切り替えて照明による明るさ調節する負荷状態制御装置において、
前記電源スイッチがオフとなってから再度オンされるまでの時間を計測する計測手段と、
前記計測手段で計測した時間が予め定めた範囲内の時間であったときに照明装置の点灯状態を切り替える点灯モード切替手段と、
前記計測手段で計測した時間が予め定めた範囲内の下限時間よりも長かったとき前記再度オンされたタイミングで音による報知を行う報知手段と、を備え、
前記点灯モード切替手段は、前記計測手段で計測した時間が予め定めた範囲の上限時間よりも長ければ、照明装置の点灯状態を初期状態にする手段であり、
前記報知手段は、切り替えた点灯状態によって音による報知を変化させる手段であることを特徴とする。
【０００９】
この構成では、電源スイッチがオフされてから、再度オンされるまでの時間が予め定めた範囲内の時間であれば、点灯モード切替手段が照明装置の点灯状態（点灯モード）を切り替える。また、点灯モード切替手段は、電源スイッチがオフされてから、再度オンされるまでの時間が予め定めた範囲の上限よりも長ければ、照明装置の点灯状態を初期状態にする。したがって、電源スイッチをオフしてからの経過時間が予め定めた範囲内の時間であるときに再度オンすることにより点灯モードを切り替えることができる。また、電源スイッチをオフしてから予め定めた範囲内の上限時間経過後に再度オンすることにより点灯モードを初期状態にできる。また、報知手段が切り替えた点灯状態によって音による報知を変化させるので、操作者は電源スイッチの操作を行ったときに、予め定めた範囲内の時間で電源スイッチを再度オンしたのか、または予め定めた範囲内の上限時間経過後に再度オンしたのか、直ぐに判断できる。言い換えれば、操作者は電源スイッチを再度オンしたときに、該操作が正しく行えたかどうか直ぐに判断できる。このことは、照明装置に蛍光灯を用いている場合に特に有用である。
【００１０】
また、この発明は、前記報知手段を、切り替えた点灯状態によって音の鳴らす回数を変化させる手段で構成したことを特徴とする。
【００１１】
この構成では、報知された音の回数によって現在の点灯状態がどの状態であるのかを簡単に判断することができる。
【００１２】
さらに、前記報知手段は、切り替えた点灯状態によって音の音色を変化させる手段であることを特徴とする。
【００１３】
この構成では、報知された音の音色によって現在の点灯状態がどの状態であるのかを簡単に判断することができる。
【００１４】
【発明の実施の形態】
図１は、この発明の実施の形態である負荷状態制御装置が適用された照明装置の構成を示すブロック図である。この照明装置１は商用電源２に接続されている。３は壁面等に設けられた電源スイッチである。４は１チップマイコンを備えた制御部であり、５は制御部４に動作電源を供給する電源回路である。制御部４では、照明装置１の負荷の点灯状態（点灯モード）を設定したり負荷を切り替える制御が行われる。６は、電源スイッチ３のオフ等によって商用電源２の入力が切断された状態を検出する電源スイッチ遮断検出部である。７は、最初の電源スイッチオン時および照明装置１の点灯モードを切り替える時にその時の点灯モードを報知するブザーである。８は、制御部４で設定された負荷の点灯モードに基づいて、点灯させる負荷の切り替えや負荷に供給する電力を出力する負荷制御回路である。９は、インバータであり、負荷制御回路８の出力が入力され、出力側には蛍光灯１０が接続されている。また、豆球１１は負荷制御回路８に直接接続されている。なお、負荷制御回路８は、スイッチング素子により出力を切り換える装置を備えており、該回路の出力がインバータ９および豆球１１に入力するように接続している。また、負荷制御回路８は、制御部４からの制御信号によって点灯させる負荷（蛍光灯１０または豆球１１）を切り替える回路も備えている。豆球１１は負荷制御回路８の出力によって点灯させられる。
【００１５】
図２は、この実施形態の照明装置における点灯モードの切り替えを示す図である。この実施形態の照明装置１は、
第１モード：蛍光灯を１００％で点灯させるモード
第２モード：蛍光灯を７０％で点灯させるモード
第３モード：蛍光灯を点灯させずに豆球を点灯させるモード
の３つの点灯モードを備えている。照明装置１は、最初に電源がオンされると第１モードで負荷を点灯させる。また、電源スイッチ３がオフされてから０．２秒〜１．７秒の間に再度オンされると点灯モードの切り替えを行う。点灯モードの切り替えは、第１モード→第２モード→第３モード→第１モードの順（図に示す矢印▲１▼に対応）に行われる。電源スイッチ３がオフされてから０．２秒以内に電源スイッチ３が再度オンされたときには、点灯モードを切り替えることなく電源スイッチ３がオフされたときの点灯モードで負荷を再点灯させる（図に示す矢印▲２▼に対応）。電源スイッチ３がオフされてから１．７秒以上経過した後に電源スイッチ３がオンされた場合には、電源がオフされたときの点灯モードに関係なく第１モードで負荷を再点灯させる（図に示す矢印▲３▼に対応）。また、最初に電源がオンされたとき、および、点灯モードを切り替えるときには電源スイッチオンのタイミングでブザー７によって報知を行う。この報知は、点灯モードが第１モードであるときにはブザー７を１回だけ鳴らし、第２モードであるときにはブザーを２回鳴らし、第３モードであるときにはブザーを３回鳴らす。したがって、点灯モードがどのモードに設定されているかはこのブザー７が鳴った回数から判断することができる。さらに、電源回路５は、スイッチ３がオフされたことによって商用電源２の入力が切断されたあとも制御部４に動作電源を１．７秒以上供給することができるバックアップ機能を備えている。
【００１６】
図３は、この実施形態の照明装置における制御部４の処理を示すフローチャートである。図３を参照しながら制御部４の処理を説明する。今、電源スイッチ３はオフの状態であり、この電源スイッチ３がオフ状態となってから十分な時間（少なくとも１．７秒以上）が経過しているものとする。操作者が電源スイッチ３をオンすると、電源回路５に商用電源２が入力され、電源回路５が制御部４に動作電源の供給を開始する。制御部４は動作電源の供給が開始されたことによって、動作を開始する。制御部４は、イニシャライズを行い点灯モードを第１モードに設定し（ｎ１、ｎ２）、ブザー７を１回鳴らす（ｎ３）。制御部４は、設定した点灯モード（ここでは第１モード）に応じた制御信号を負荷制御回路８に入力する（ｎ４）。負荷制御回路８は、この制御部４から入力された制御信号によってスイッチング素子を制御する。ここでは第１モードに設定されているので、負荷制御回路８は蛍光灯１０を１００％で点灯させるのに必要な電力を出力するようにスイッチング素子を制御する。この負荷制御回路８の出力は、インバータ９に入力される。そして、インバータ９の出力によって蛍光灯１０が１００％で点灯させられる。なお、制御信号によって、蛍光灯１０を点灯させる負荷として選択しており、豆球１１には負荷制御回路８の出力は印加されておらず、豆球１１は点灯していない。
【００１７】
つぎに、制御部８は商用電源２が切断されたかどうかを判定する（ｎ５）。ここで、商用電源２が切断された状態とは、単に電源スイッチ３がオフされた場合だけではなく、停電等による商用電源２の切断も含まれる。電源スイッチ遮断検出部６は商用電源２が切断された状態であるかどうかを常に検出しており、該検出結果を制御部４に入力している。制御部４では、電源スイッチ遮断検出部から入力される検出結果に基づいてｎ５の判定を行う。ｎ５で商用電源２が切断された状態でないと判定した場合には、ｎ４に戻る。すなわち、現在設定されている点灯モードで継続して負荷を点灯させる。
【００１８】
ｎ５で商用電源が切断されたと判定すると、切断時間のカウントを開始する（ｎ６）。このとき、負荷制御回路８への商用電源２の入力も切断されているので、蛍光灯１０および豆球１１は消灯した状態となる。しかし、電源回路５には商用電源２が切断されてから１．７秒以上制御部４に動作電源を供給することができるバックアップ機能を備えているので、制御部４は動作を続ける。そして、ｎ７で商用電源２の供給（通電）が開始されたかどうかを判定する。商用電源２の供給が開始されたことを検出すると、切断時間のカウントを停止し（ｎ８）、商用電源２が切断されていた時間が０．２秒以下であったかどうかを判定する（ｎ９）。ここで、電源が切断されていた時間が０．２秒以下であった場合には、設定している点灯モードを切り替えることなくｎ４に戻り上記した処理を繰り返す。一方、０．２秒以上であった場合には、該時間が１．７秒以上であったかどうかを判定する（ｎ１０）。商用電源２の切断時間が１．７秒以上であった場合にはｎ２に戻って上記した処理を繰り返す。なお、制御部４は商用電源２の切断されている時間が長く（１．７秒以上）、電源回路５から動作電源が供給されなくなると停止する。この後商用電源２の供給が開始された場合には、ｎ１からの操作が開始される。
【００１９】
商用電源２が切断されていた時間が０．２秒〜１．７秒の間であった場合には、現在設定されている点灯モードが第１モードであるかどうかを判定し（ｎ１１）、第１モードであれば点灯モードを第２モードに切り替えるとともにブザー７を２回鳴らしてｎ４に戻り上記した処理を繰り返す（ｎ１２、ｎ１３）。この場合には、負荷制御回路８は蛍光灯１０を７０％で点灯させる第２モードの制御を行う。なお、第２モードで点灯させるときには、電源オンで一旦１００％点灯させた後、７０％に調光する第２モードに移行することになり、スイッチ操作時と７０％点灯モードに以降した時とに若干の時間的ズレが生じる。ｎ１１で現在設定されている点灯モードが第１モードでなければ、ｎ１４に進んで現在の点灯モードが第２モードであるかどうかを判定し、第２モードであれば点灯モードを第３モードに切り替えるとともに、ブザー７を３回鳴らしてｎ４に戻り上記した処理を繰り返す。この場合には、負荷制御回路８に豆球１１が点灯させる負荷として選択されて点灯する。このとき、蛍光灯１０は点灯しない。また、ｎ１４で第２モードでもないと判定した場合（この場合は第３モードであった。）には、ｎ２に戻って上記した処理を繰り返す。
【００２０】
以上のように、この実施形態の照明装置１は、オン状態の電源スイッチ３をオフしてから０．２秒〜１．７秒の間に電源スイッチ３をオンする操作を行うことによって、照明装置１の点灯モードを第１モード→第２モード→第３モード→第１モードの順に切り替えることができる。また、オン状態の電源スイッチ３をオフしてから１．７秒以上経過後に電源スイッチ３をオンする操作を行うことによって、前回設定されていた点灯モードに関係なく照明装置１の点灯モードを第１モードに切り替えることもできる。また、商用電源２が切断されている時間が０．２秒以下であれば点灯モードが切り替わらないので、商用電源２の瞬停によって点灯モードが切り替わるという問題が生じることもない。
【００２１】
そして、この実施形態の照明装置では、点灯モードを切り替えるときには、電源スイッチ３のオン操作のタイミングで（ｎ７〜ｎ１２のステップに要する時間は殆ど無視できる。）ブザー７を鳴らすようにしたため、操作者は自分が行った電源スイッチ３の操作によって点灯モードを切り替えることができたかどうかを照明装置１の点灯状態を確認することなく直ぐに判断することができる。なお、第１モードから第２モードに切り替えるときには、前述のように蛍光灯１０は電源スイッチオフで消灯し、次の電源スイッチオンで一旦１００％点灯した後７０％点灯する第２モードに移行するようになっている。したがって、点灯モードを第１モードから第２モードへの切り替えるための正しいスイッチ操作が行われたときには、現実の７０％点灯となる前にブザー７によるモード変更確認を行うことができるから操作上のとまどいがない。また、切り替わった点灯モードが第１モード〜第３モードのいずれであるかも、ブザー７の鳴った回数で判断することができる。このため、第１モードであった点灯モードを第２モードに切り替えようとして電源スイッチ３を操作したときに、電源スイッチ３をオフしている時間が１．７秒以上であって実際には点灯モードが切り替わらなかったことも直ぐに判断することができる。さらに、点灯モードを切り替えないときには、ブザー７を鳴らさないようにしているので、商用電源２の瞬停が起こったときにブザー７が鳴ることはなく、ブザー７の音によって周囲が騒がしいと感じることもない。
【００２２】
なお、上記した実施の形態では、切り替える点灯モードによってブザー７を鳴らす回数を変化させるとしたが、切り替える点灯モードによってブザー７の音色を変化させるようにしてもよい。また、音声で『第１モードに切り替えます。』等のメッセージで音としての報知を行うようにすることもできる。また、点灯モードが３つの場合で説明を行ったが、これに限定されることなく５つや６つの点灯モードを備えた照明装置に適用することもできる。
【００２３】
【発明の効果】
以上のように、この発明によれば、点灯モードを切り替えるように電源スイッチの操作が行われると、電源スイッチの再オン時に報知手段によって音による報知が行われるので、操作者は電源スイッチの操作を行ったときに、直ぐに該操作が正しく行えたかどうかを判断することができ、操作性を向上させることができる。
【００２４】
また、切り替わった点灯モードに応じて音の鳴らす回数や音色を変化させるようにしたため、どの点灯モードに切り替わったのかも判断することができる。
【図面の簡単な説明】
【図１】この発明の実施形態である負荷状態制御装置を適用した照明装置の構成を示すブロック図である。
【図２】この実施形態における照明装置の点灯モードの切り替えを示す図である。
【図３】この実施形態における制御部の動作を示すフローチャートである。
【符号の説明】
１−照明装置
２−商用電源
３−電源スイッチ
４−制御部
５−電源回路
６−電源スイッチ遮断検出部
７−ブザー
８−負荷制御回路
９−インバータ
１０−蛍光灯
１１−豆球
【図１】
0003738288.tif 000002
【図２】
0003738288.tif 000003
【図３】
0003738288.tif 000004